(57)【特許請求の範囲】
【請求項１】
隣り合う根太と根太との間に設置される断熱材を保持する部材であって、一部が断熱材の下部を保持すると共に、残りの部分が根太の下面に相対するよう構成された水平部と，その水平部に垂設され、且つ上端に、根太の側面に形成された長手方向に延びる溝に掛けられるフックが突設された鉛直部と，を備えてなることを特徴とする断熱材の保持部材。
【請求項２】
隣り合う根太と根太との間に設置される断熱材を保持する部材であって、一部が断熱材の下部を保持すると共に、残りの部分が根太の下面に相対するよう構成された水平部と，その水平部に垂設され、且つ上端に、根太の両側面にそれぞれ形成された長手方向に延びる溝に掛けられるフックが向かい合うように突設された一対の鉛直部と，を備えてなることを特徴とする断熱材の保持部材。
【請求項３】
前記水平部の一端に、根太の下面に形成された長手方向に延びる溝に掛けられるフックが上向きに突設されていることを特徴とする請求項１に記載の断熱材の保持部材。
【発明の詳細な説明】
【０００１】
【発明の属する技術分野】
本発明は、断熱材の保持部材に関する。より詳細には、根太上に敷設された床材の下側、根太間に、グラスウール・ロックウール・ポリスチレンフォーム等よりなる断熱材を保持する保持部材に関する。
【０００２】
【従来の技術】
従来、根太上に敷設された床材の下側、根太間に、グラスウール・ロックウール・ポリスチレンフォーム等よりなる断熱材を保持するに当たっては、大引の上に敷設された下地材の上に断熱材に載置するか，この下地材を省略し、隣り合う根太間に弾力性に富む断熱材を押し込み、その際生じる弾性復元力により根太間に挟持させると共に、間隔の開いた大引で支えるか，していた。なお、根太及び断熱材の上面には床材が敷設される。
【０００３】
前者の下地材上への断熱材の載置は、下地材の施工に当たって、釘打ち・接着剤による接着等が必要であり、それだけ手間が掛かり、コストが嵩むという問題だけでなく、その施工が不完全の場合、踏み鳴り等の支障が発生するという問題点がある。
【０００４】
また、後者の下地材省略可能な断熱材として、例えば図４に示すように、弾力性を有し、根太１，１間に押し込まれたとき、その幅方向に弾性的に収縮し、その弾性復元力によって、根太１，１によって挟持されるよう、長手方向に溝Ｍが形成されたものが使用されている。
【０００５】
【発明が解決しようとする課題】
しかしながら、上記従来の断熱材ＨＩは、根太１，１には弾性力のみにより保持されているため、経年劣化に伴い弾力性が低下し、根太１，１による保持力が低下し、反ったり、曲がったり、垂れ下がったりして来るという問題点がある。また、根太の間隔が均等でなく、不揃いであったり、根太が乾燥し、収縮したりしても、根太１，１による保持力が低下し、同様のことが起こる。これらのことは、特に吸湿したグラスウール・ロックウールに著しい。
【０００６】
そのうえ、根太１と断熱材ＨＩとの間に隙間が生じると、断熱材ＨＩの反り、曲がり、垂れ下がり、脱落のみならず、床部分の断熱性が低下し、エネルギー消費が増大したり、結露が生じたりするという問題点もある。特に結露は、一旦生じると、それが根太１に吸収され、黴・腐朽の原因となり、建物の寿命を縮めることになるという問題点がある。
【０００７】
そこで本発明の目的とするところは、上記従来例の欠点を解消した、下地材を省略した場合に適用可能であり、施工が容易であって、反り、曲がり、垂れ下がり、脱落がなく、根太との間に隙間を生じ難く、エネルギー消費の増大や結露の発生がない断熱材の保持部材を提供することにある。
【０００８】
【課題を解決するための手段】
上記の目的を達するために、請求項１の発明の断熱材の保持部材は、隣り合う根太（１）と根太（１）との間に設置される断熱材（ＨＩ）を保持する部材であって、一部が断熱材（ＨＩ）の下部を保持すると共に、残りの部分が根太（１）の下面に相対するよう構成された水平部（Ｈ）と，その水平部（Ｈ）に垂設され、且つ上端に、根太（１）の側面に形成された長手方向に延びる溝（１ａ）に掛けられるフック（Ｆ１）が突設された鉛直部（Ｖ）と，を備えてなることを特徴とするものである。
【０００９】
また請求項２の発明は、隣り合う根太（１）と根太（１）との間に設置される断熱材（ＨＩ）を保持する部材であって、一部が断熱材（ＨＩ）の下部を保持すると共に、残りの部分が根太（１）の下面に相対するよう構成された水平部（Ｈ）と，その水平部（Ｈ）に垂設され、且つ上端に、根太（１）の両側面にそれぞれ形成された長手方向に延びる溝（１ａ，１ａ）に掛けられるフック（Ｆ１，Ｆ１）が向かい合うように突設された一対の鉛直部（Ｖ，Ｖ）と，を備えてなることを特徴とするものである。
【００１０】
請求項３の発明は、請求項１の発明の構成に加えて、水平部（Ｈ）の一端に、根太（１）の下面に形成された長手方向に延びる溝（１ｂ）に掛けられるフック（Ｆ２）が上向きに突設されていることを特徴とするものである。
【００１１】
なお、上記の課題を解決するための手段に記載された括弧内の記号は図面及び後述する発明の実施の形態に記載された記号に対応するものである。
【００１２】
請求項１の発明によれば、断熱材は、隣合う根太の各側面に懸架される保持部材の水平部に載せられ、保持されるため、従来例の弾性力のみによる保持に比較して、保持が確実である。よって、下地材が不要であって、それだけ施工が容易であり、しかも断熱材の反り、曲がり、垂れ下がり、脱落等のおそれがない。更に根太との間に隙間を生じ難く、エネルギー消費の増大や結露の発生がない。
【００１３】
なお、根太側面に形成された溝に掛けられたフックにより保持部材の上下方向の移動が制約され、且つ水平部のうち、根太下面と相対する部分により保持部材の回動が制約されるため、フックが溝から外れることはなく、保持部材は根太に保持される。
【００１４】
請求項２の発明によれば、請求項１の発明の作用効果に加えて、根太を挟むよう、それぞれ水平部に結合された一対の鉛直部によって、保持部材の左右方向の移動及び回動が制約されるため、根太の左右側面に形成された溝にそれぞれ掛けられた２つのフックが溝から外れることはなく、保持部材は根太に確実に保持される。なお、本保持部材は両側に隣り合う根太が存在する場合に対して有効である。
【００１５】
請求項３の発明によれば、請求項１の発明の作用効果に加えて、根太側面に形成された溝に掛けられたフック及び根太底面に形成された溝に掛けられたフックにより保持部材の上下・左右方向の移動及び回動が制約されるため、両フックが両溝から外れることはなく、保持部材は根太に確実に懸架保持される。なお、本保持部材は一方の側にのみ隣り合う根太が存在する場合に対して有効である。
【００１６】
【発明の実施の形態】
本発明の断熱材の保持部材に係わる第１の実施の形態例について図面を参照して説明すると、図１は断熱材を保持した状態を示す斜視図、図２は要部を示す斜視図である。
【００１７】
複数本の根太１（針葉樹よりなる単板積層材ＬＶＬ、合板、無材等よりなる）が、大引き（図示省略）の上にそれと交差するよう、適当な間隔を開けて、互い平行に固定されており、隣り合う根太１，１間に断熱材ＨＩが設置される。各根太１の両側面、長手方向には、後述する保持部材２のフックＦ１，Ｆ１がそれぞれ掛けられる溝１ａ，１ａが形成されている。なお、根太１として、型鋼、プラスチック成形材が用いられてもよい。
【００１８】
保持部材２について、説明すると、薄い板状のプラスチック、金属等よりなり、水平部Ｈと，その水平部Ｈにそれぞれ垂設され、且つ上端にそれぞれフックＦ１，Ｆ１が向かい合うように突設された一対の鉛直部Ｖ，Ｖと，を備えている。保持部材２は左右対称になっていて、水平部Ｈのうち、鉛直部Ｖ，Ｖの両側部分はそれぞれ断熱材ＨＩ，ＨＩを保持する部分であり、鉛直部Ｖ，Ｖに挟まれた中央部分は、根太１に装着された状態で、鉛直部Ｖ，Ｖと共に根太１を囲み、その下面に相対する部分である。
【００１９】
また、根太１に装着された状態では、鉛直部Ｖ，Ｖの上端に突設されたフックＦ１，Ｆ１はそれぞれ溝１ａ，１ａに掛けられ、それによって、保持部材２が根太１に懸架される。なお、フックＦ１は、溝１ａへの挿入容易に先細に形成されていて、その下面は溝１ａの上面に掛けられるよう水平である。また、図では、水平部Ｈの各先端には、断熱材ＨＩに食い込むよう、先細上向きの突起Ｔが突設されているが、絶対に必要なものではない。
【００２０】
断熱材ＨＩの設置に当たっては、予め各根太１へ保持材２が上記のように装着される。それによって、各根太１の両側から水平部分Ｈの両側部分がそれぞれ突出する。言い換えれば、隣り合う根太１，１の付け根から断熱材ＨＩを保持する２つの部分が互いに他方に向かって突出している。そして、その突出した部分の上に、根太１，１の間の部分の幅に略等しい幅の断熱材ＨＩが載せられるだけで断熱材ＨＩの設置が完了し、その上、根太１に床材（図示省略）が釘等で固定されれば、床板敷設工事が完了する。
【００２１】
作用について説明すると、断熱材ＨＩの設置に当たって、下地材も不要、従って釘打ち・接着作業も不要、専用の取付治具が不要であって、作業は容易であり、施工費が著しく低減される。そのうえ、各根太１を挟むよう、それぞれ水平部Ｈに結合された鉛直部Ｖ，Ｖによって、保持部材２の左右方向の移動及び回動が制約されるため、根太１の左右側面に形成された溝１ａにそれぞれ掛けられた２つのフックＦ１，Ｆ１が溝１ａ，１ａから外れることはなく、保持部材２は根太１に確実に保持される。
しかも各断熱材ＨＩは、隣合う根太１，１の各側面に懸架される保持部材２，２の水平部Ｈ，Ｈの両側突出部分に載せられ、保持されるため、従来例の弾性力のみによる保持のように経年劣化の影響も、また、根太１の乾燥・収縮の影響も受けず、従って断熱材ＨＩの反り、曲がり、垂れ下がり、脱落等のおそれがなく、また、根太１との間に隙間を生じ難いため、高い断熱性が常に保持され、エネルギー消費の増大や結露の発生もない。従って断熱材の選定に当たって、構造・性状について自由度が増大し、所望のものが選択可能になる。
【００２２】
第２の実施の形態例について説明すると、第１の実施の形態例が両側に隣り合う根太１，１が存在する場合に対して適用されるのに対して、一方の側にのみ隣り合う根太１が存在する場合に対して適用される。すなわち、水平部Ｈには１本の鉛直部Ｖ（上端にはフックＦ１が突設されている）のみ垂設されており、しかも水平部Ｈのうち、根太１の下面と相対する部分の一端に根太１の下面、長手方向に形成された溝１ｂに掛けられるフックＦ２が上向きに突設されている。
【００２３】
その作用は、以下のことを除いて第１の形態例と同様である。すなわち、根太１の側面に形成された溝１ａに掛けられたフックＦ１及び根太１の下面に形成された溝１ｂに掛けられたフックＦ２により保持部材１２の上下・左右方向の移動及び回動が制約されるため、両フックＦ１，Ｆ２が溝１ａ，１ｂから外れることはなく、保持部材１２は根太１に確実に懸架保持される。
【００２４】
【発明の効果】
請求項１の発明によれば、断熱材は、隣合う根太の各側面に懸架される保持部材の水平部に載せられ、保持されるため、従来例の弾性力のみによる保持に比較して、保持が確実である。よって、下地材が不要であって、それだけ施工が容易であり、しかも断熱材の反り、曲がり、垂れ下がり、脱落等のおそれがない。更に根太との間に隙間を生じ難く、エネルギー消費の増大や結露の発生がない。
【００２５】
なお、根太側面に形成された溝に掛けられたフックにより保持部材の上下方向の移動が制約され、且つ水平部のうち、根太下面と相対する部分により保持部材の回動が制約されるため、フックが溝から外れることはなく、保持部材は根太に保持される。
【００２６】
請求項２の発明によれば、請求項１の発明の作用効果に加えて、根太を挟むよう、それぞれ水平部に結合された一対の鉛直部によって、保持部材の左右方向の移動及び回動が制約されるため、根太の左右側面に形成された溝にそれぞれ掛けられた２つのフックが溝から外れることはなく、保持部材は根太に確実に保持される。なお、本保持部材は両側に隣り合う根太が存在する場合に対して有効である。
【００２７】
請求項３の発明によれば、請求項１の発明の作用効果に加えて、根太側面に形成された溝に掛けられたフック及び根太底面に形成された溝に掛けられたフックにより保持部材の上下・左右方向の移動及び回動が制約されるため、両フックが両溝から外れることはなく、保持部材は根太に確実に懸架保持される。なお、本保持部材は一方の側にのみ隣り合う根太が存在する場合に対して有効である。
【図面の簡単な説明】
【図１】本発明の第１の実施の形態例が断熱材を保持した状態を示す斜視図である。
【図２】図１の要部を示す斜視図である。
【図３】本発明の第２の実施の形態例が断熱材を保持した状態を示す斜視図である。
【図４】従来例が断熱材を保持する前の状態を示す斜視図である。
【符号の説明】
１        根太
１ａ      溝
１ｂ      溝
２        保持部材
１２        保持部材
Ｆ１      フック
Ｆ２      フック
Ｈ        水平部
ＨＩ      断熱材
Ｍ        溝
Ｔ        突起
Ｖ        鉛直部
【図１】
0003968172.tif 000002
【図２】
0003968172.tif 000003
【図３】
0003968172.tif 000004
【図４】
0003968172.tif 000005